(57)【要約】  余裕電力取得部（１２１ｂ）は、指定期間よりも短い設定期間が経過する度に、その設定期間における電気機器（１１）の平均消費電力を求め、その平均消費電力の、設定電力に基づいた設定期間における目標電力に対する余裕電力を求める。また、更新部（１２１ｃ）は、余裕電力取得部（１２１ｂ）で求められた余裕電力が正の値であれば、次の設定期間中における目標電力を、設定電力に余裕電力を加えた電力に更新し、余裕電力取得部（１２１ｂ）で求められた余裕電力が負の値であれば、次の設定期間における目標電力を、設定電力から余裕電力の絶対値を減じた電力に更新し、更新した目標電力を、空調機器（１１）を制御する制御部（１１１）に通知する。
2015059774.tif 000002
【特許請求の範囲】
【請求項１】
予め定められた指定期間中における電気機器の消費電力が、予め設定されている設定電力以下になるよう、前記電気機器を制御する制御装置であって、
前記指定期間よりも短い設定期間が経過する度に、その設定期間における前記電気機器の平均消費電力を求め、その平均消費電力の、前記設定電力に基づいた前記設定期間における目標電力に対する余裕電力を求める余裕電力取得部と、
前記余裕電力取得部で求められた余裕電力が正の値であれば、次の前記設定期間における前記目標電力を、前記設定電力に前記求められた余裕電力を加えた電力に更新し、前記余裕電力取得部で求められた余裕電力が負の値であれば、次の前記設定期間における前記目標電力を、前記設定電力から前記求められた余裕電力の絶対値を減じた電力に更新し、更新した前記目標電力を、前記電気機器を制御する制御部に通知する更新部と、
を備える制御装置。
【請求項２】
前記余裕電力取得部は、
前記設定期間が経過すると、その設定期間における前記電気機器の平均消費電力を求める平均消費電力取得部と、
前記平均消費電力取得部で前記平均消費電力が求められると、その求められた平均消費電力を、現在の前記目標電力から減算することで、前記余裕電力を求める減算取得部と、
を備える請求項１に記載の制御装置。
【請求項３】
前記余裕電力取得部は、前記設定期間に測定された前記電気機器の消費電力量から、前記設定期間における前記電気機器の平均消費電力を求める、
請求項２に記載の制御装置。
【請求項４】
予め定められた指定期間中における電気機器の消費電力が、予め設定されている設定電力以下になるよう、前記電気機器を制御する制御装置であって、
前記指定期間よりも短い設定期間が経過する度に、電力を発生させる発電装置で発電された前記設定期間における発電電力を求め、その発電電力に基づいた余力電力を求める余力電力取得部と、
前記余力電力取得部で求められた余力電力が正の値であれば、次の前記設定期間における前記設定電力に基づいた目標電力を、前記設定電力に前記求められた余力電力を加えた電力に更新し、前記余力電力取得部で求められた余力電力がゼロであれば、次の前記設定期間における前記目標電力を、前記設定電力に更新し、更新した前記目標電力を、前記電気機器を制御する制御部に通知する更新部と、
を備える制御装置。
【請求項５】
前記余力電力取得部は、前記設定期間に測定された前記発電装置の発電電力量から、前記発電装置で発電された前記設定期間あたりの発電電力を求める、
請求項４に記載の制御装置。
【請求項６】
前記設定期間が経過する度に、その設定期間における前記電気機器の平均消費電力を求め、その平均消費電力の、前記目標電力に対する余裕電力を求める余裕電力取得部を備え、
前記更新部は、前記余裕電力取得部で求められた余裕電力が正の値であれば、次の前記設定期間における前記目標電力を、前記設定電力に前記余裕電力と前記余力電力とを加えた電力に更新し、前記余裕電力取得部で求められた余裕電力が負の値であれば、次の前記設定期間における前記目標電力を、前記設定電力から前記余裕電力の絶対値を減じた電力に前記余力電力を加えた電力に更新する、
請求項４または５に記載の制御装置。
【請求項７】
前記電気機器は、複数配置され、
前記設定電力と前記目標電力とは、前記電気機器の属するグループ毎に設けられており、
前記更新部は、
前記余力電力取得部で求められた余力電力が正の値であれば、その求められた余力電力を、前記グループのうちの予め決定されている決定グループで分配する余力分配部と、
前記余力分配部で前記決定グループ毎に分配された前記余力電力を、前記決定グループのそれぞれに対応して設定されている前記設定電力に加えることで、次の前記設定期間における前記決定グループの前記目標電力を更新する余力更新部と、を備える、
請求項４または５に記載の制御装置。
【請求項８】
前記電気機器は、複数配置され、
前記設定電力と前記目標電力とは、前記電気機器の属するグループ毎に設けられており、
前記更新部は、
前記余裕電力取得部で求められた余裕電力が正の値であれば、その求められた余裕電力の値を、前記グループのうちの予め決定されている決定グループで分配する余裕分配部と、
前記余裕分配部で前記決定グループ毎に分配された前記余裕電力を、前記決定グループのそれぞれに対応して設定されている前記設定電力に加えることで、次の前記設定期間における前記決定グループの前記目標電力を更新する余裕更新部と、を備える、
請求項１から３のいずれか一項に記載の制御装置。
【請求項９】
予め定められた指定期間中における電気機器の消費電力が、予め設定されている設定電力以下になるよう、前記電気機器を制御する制御装置の制御方法であって、
前記指定期間よりも短い設定期間が経過する度に、その設定期間における前記電気機器の平均消費電力の、前記設定電力に基づいた前記設定期間における目標電力に対する余裕電力を求める余裕電力取得ステップと、
前記余裕電力取得ステップで求められた余裕電力が正の値であれば、次の前記設定期間における前記目標電力を、前記設定電力に前記求められた余裕電力を加えた電力に更新し、前記余裕電力取得ステップで求められた余裕電力が負の値であれば、次の前記設定期間における前記目標電力を、前記設定電力から前記求められた余裕電力の絶対値を減じた電力に更新し、更新した前記目標電力を、前記電気機器を制御する制御部に通知する更新ステップと、
を含む制御方法。
【請求項１０】
予め定められた指定期間中における電気機器の消費電力が、予め設定されている設定電力以下になるよう、前記電気機器を制御する制御装置の制御方法であって、
前記指定期間よりも短い設定期間が経過する度に、電力を発生させる発電装置で発電された前記設定期間における発電電力から、その発電電力に基づいた余力電力を求める余力電力取得ステップと、
前記余力電力取得ステップで求められた余力電力が正の値であれば、次の前記設定期間における前記設定電力に基づいた目標電力を、前記設定電力に前記求められた余力電力を加えた電力に更新し、前記余力電力取得ステップで求められた余力電力がゼロであれば、次の前記設定期間における前記目標電力を、前記設定電力に更新し、更新した前記目標電力を、前記電気機器を制御する制御部に通知する更新ステップと、
を含む制御方法。
【請求項１１】
予め定められた指定期間中における電気機器の消費電力が、予め設定されている設定電力以下になるよう、前記電気機器を制御する制御装置のコンピュータに、
前記指定期間よりも短い設定期間が経過する度に、その設定期間における前記電気機器の平均消費電力の、前記設定電力に基づいた前記設定期間における目標電力に対する余裕電力を求める余裕電力取得機能、
前記余裕電力取得機能で求められた余裕電力が正の値であれば、次の前記設定期間における前記目標電力を、前記設定電力に前記求められた余裕電力を加えた電力に更新し、前記余裕電力取得機能で求められた余裕電力が負の値であれば、次の前記設定期間における前記目標電力を、前記設定電力から前記求められた余裕電力の絶対値を減じた電力に更新し、更新した前記目標電力を、前記電気機器を制御する制御部に通知する更新機能、
を実現させるプログラム。
【請求項１２】
予め定められた指定期間中における電気機器の消費電力が、予め設定されている設定電力以下になるよう、前記電気機器を制御する制御装置のコンピュータに、
前記指定期間よりも短い設定期間が経過する度に、電力を発生させる発電装置で発電された前記設定期間における発電電力から、その発電電力に基づいた余力電力を求める余力電力取得機能、
前記余力電力取得機能で求められた余力電力が正の値であれば、次の前記設定期間における前記設定電力に基づいた目標電力を、前記設定電力に前記求められた余力電力を加えた電力に更新し、前記余力電力取得機能で求められた余力電力がゼロであれば、次の前記設定期間における前記目標電力を、前記設定電力に更新し、更新した前記目標電力を、前記電気機器を制御する制御部に通知する更新機能、
を実現させるプログラム。
【発明の詳細な説明】
【技術分野】
【０００１】
本発明は、制御装置、制御方法およびプログラムに関する。
【背景技術】
【０００２】
省エネルギーによるコスト低減を実現する一つの手段として、電気機器の消費電力を抑制する方法がある。電気機器が配置されている例えばビルには、電気機器の消費電力を抑制するために、電気機器を制御するシステムが導入されている。【０００３】
このシステムとして、例えば、特許文献１に記載されている省エネルギー制御システムがある。この省エネルギー制御システムは、現在までの瞬時電力を積算した値である現在デマンドと現在デマンドの単位時間あたりの変化とを求める。そして、この省エネルギー制御システムは、現在デマンドとその単位時間あたりの変化とから、予め定められた期間（３０分間）の満了時における瞬時電力の積算値（消費電力量）を予測する。【０００４】
この省エネルギー制御システムは、予測した積算値が、電力会社との契約電力から求められた積算値（ユーザにより設定された積算値）を超えると判定すると、電気機器の運転能力を低下させる。このようにして、この省エネルギー制御システムは、予め定められた期間の満了時における実際の積算値が、設定された積算値内になるよう、電気機器を制御する。
【先行技術文献】
【特許文献】
【０００５】
【特許文献１】特開２００９−１１５３９２号公報
【発明の概要】
【発明が解決しようとする課題】
【０００６】
特許文献１に記載の省エネルギー制御システムは、前述の通り、現在デマンド（現在までの瞬時電力を積算した値）と現在デマンドの単位時間あたりの変化とから、予め定められた期間（３０分間）の満了時における瞬時電力の積算値を予測する。【０００７】
よって、例えば、予め定められた期間中の早期における現在デマンドが比較的小さければ、この省エネルギー制御システムは、期間の満了時における予測の積算値が、設定された積算値内になると判定する。このため、この省エネルギー制御システムは、例えば、電気機器の運転能力を上昇させる制御を行う（電気機器の消費電力を上昇させる制御を行う）。【０００８】
しかし、例えば、予め定められた期間中の早期における現在デマンドが比較的大きければ、この省エネルギー制御システムは、期間の満了時における予測の積算値が、設定された積算値を超えると判定する。このため、この省エネルギー制御システムは、期間の満了時における実際の積算値が設定された積算値内になるよう、期間の満了に近づくに連れて、電気機器の運転能力を低下させる制御を行う（電気機器の消費電力を減少させる制御を行う）。特に、この省エネルギー制御システムは、期間中の早期における現在デマンドが大きいほど、期間の満了に近づくに連れて、電気機器の消費電力を著しく減少させる制御を行う。【０００９】
このように、この省エネルギー制御システムは、電気機器の消費電力を著しく減少させるような、電気機器の消費電力の平準化が不十分になる制御を行う場合があり、電気機器のユーザが不便に感じる可能性があるという問題点がある。【００１０】
本発明は、上記実情に鑑みてなされたものであり、電気機器の運転能力の変動による不便の発生を抑えつつ消費エネルギーの低減に寄与し得る制御装置、制御方法およびプログラムを提供することを目的とする。
【課題を解決するための手段】
【００１１】
上記目的を達成するために、この発明に係る第１の制御装置は、予め定められた指定期間中における電気機器の消費電力が、予め設定されている設定電力以下になるよう、電気機器を制御する。余裕電力取得部は、指定期間よりも短い設定期間が経過する度に、その設定期間における電気機器の平均消費電力を求め、その平均消費電力の、設定電力に基づいた設定期間における目標電力に対する余裕電力を求める。更新部は、余裕電力取得部で求められた余裕電力が正の値であれば、次の設定期間における目標電力を、設定電力に、求められた余裕電力を加えた電力に更新し、余裕電力取得部で求められた余裕電力が負の値であれば、次の設定期間における目標電力を、設定電力から、求められた余裕電力の絶対値を減じた電力に更新し、更新した目標電力を、電気機器を制御する制御部に通知する。【００１２】
また、上記目的を達成するために、この発明に係る第２の制御装置は、予め定められた指定期間中における電気機器の消費電力が、予め設定されている設定電力以下になるよう、電気機器を制御する。余力電力取得部は、指定期間よりも短い設定期間が経過する度に、電力を発生させる発電装置で発電された設定期間における発電電力を求め、その発電電力に基づいた余力電力を求める。更新部は、余力電力取得部で求められた余力電力が正の値であれば、次の設定期間における設定電力に基づいた目標電力を、設定電力に、求められた余力電力を加えた電力に更新し、余力電力取得部で求められた余力電力がゼロであれば、次の設定期間における目標電力を、設定電力に更新し、更新した目標電力を、電気機器を制御する制御部に通知する。
【発明の効果】
【００１３】
本発明の第１の制御装置によれば、更新部は、余裕電力取得部で求められた余裕電力が正の値であれば、次の設定期間における目標電力を、設定電力に、求められた余裕電力を加えた電力に更新する。一方、更新部は、余裕電力取得部で求められた余裕電力が負の値であれば、次の設定期間における目標電力を、設定電力から、求められた余裕電力の絶対値を減じた電力に更新する。そして、更新部は、更新した目標電力を、電気機器を制御する制御部に通知する。よって、制御装置は、指定期間の満了が近づくに連れて、電気機器の消費電力を著しく減少させるような、電気機器の消費電力の平準化が不十分になる制御を行うことはない。従って、第１の制御装置によれば、電気機器の運転能力の変動による不便の発生を抑えつつ消費エネルギーの低減に寄与し得る。【００１４】
本発明の第２の制御装置によれば、更新部は、余力電力取得部で求められた余力電力が正の値であれば、次の設定期間における設定電力に基づいた目標電力を、設定電力に、求められた余力電力を加えた電力に更新する。一方、更新部は、余力電力取得部で求められた余力電力がゼロであれば、次の設定期間における目標電力を、設定電力に更新する。そして、更新部は、更新した目標電力を、電気機器を制御する制御部に通知する。よって、制御装置は、目標電力を増加させても、目標電力を設定電力よりも減らすことはない。これにより、制御装置は、指定期間の満了が近づくに連れて、電気機器の消費電力を著しく減少させるような、電気機器の消費電力の平準化が不十分になる制御を行うことはない。従って、第２の制御装置によれば、電気機器の運転能力の変動による不便の発生を抑えつつ消費エネルギーの低減に寄与し得る。
【図面の簡単な説明】
【００１５】
【図１】本発明の実施の形態１に係る制御システムのブロック図である。
【図２Ａ】実施の形態１に係る制御システムの空調機器における平均消費電力を示す図である。
【図２Ｂ】実施の形態１に係る制御システムのデマンド値の更新を示す図である。
【図３】実施の形態１に係る制御システムの制御装置によるデマンド制御を示す図である。
【図４】実施の形態１に係る制御システムのデマンド値更新処理を示すフローチャートである。
【図５】本発明の実施の形態２に係る制御システムのブロック図である。
【図６Ａ】実施の形態２に係る制御システムの余力電力を示す図である。
【図６Ｂ】実施の形態２に係る制御システムのデマンド値の更新を示す図である。
【図７】実施の形態２に係る制御システムのデマンド値更新処理を示すフローチャートである。
【図８】本発明の実施の形態３に係る制御システムのブロック図である。
【図９Ａ】実施の形態３に係る制御システムの余裕電力を示す図である。
【図９Ｂ】実施の形態３に係る制御システムの余力電力を示す図である。
【図９Ｃ】実施の形態３に係る制御システムのデマンド値の更新を示す図である。
【図１０】実施の形態３に係る制御システムのデマンド値更新処理を示すフローチャートである。
【発明を実施するための形態】
【００１６】
（実施の形態１）
以下、本発明の実施の形態１に係る制御システムを備える空調システム１０を、室内温度を制御する空調システムを例に、図面を参照して説明する。
【００１７】
空調システム１０は、図１に示すように、電気機器の例である空調機器１１を複数備える。また、空調システム１０は、例えば商用電源から空調機器１１ａ〜１１ｃに供給されて消費された、予め定められた指定期間中における消費電力の、平均値に基づいて求めた平均消費電力が、予め定められた設定電力以下になるよう、空調機器１１ａ〜１１ｃを制御する制御装置１２を備える。この制御装置１２の制御を、デマンド制御と称する。
【００１８】
なお、指定期間とは、制御装置１２がデマンド制御を行う期間である。指定期間を、以後、デマンド期間と称する。また、設定電力とは、空調機器１１ａ〜１１ｃで消費することを許容するデマンド期間中の消費電力の上限値である。設定電力を、以後、デマンド初期値Ｄと称する。
【００１９】
空調機器１１ａ〜１１ｃは、それぞれ、空調機器１１全体を制御する制御部１１１と、制御部１１１が制御する対象である制御対象部１１２と、無線通信を可能にする無線通信インタフェース１１３と、を備える。各部１１１〜１１３は、バスラインＢＬで、相互に接続されている。
【００２０】
制御部１１１は、ＣＰＵ（Central Processing Unit）と、ＲＯＭ（Read only Memory）と、ＲＡＭ（Random Access Memory）と、タイマと、を備える。
【００２１】
制御部１１１は、空調機器１１の電源がオンされ、デマンド制御が開始されたことを示す制御装置１２からの信号を受信すると、タイマで計時を開始する。制御部１１１は、タイマによる計時に基づいて、デマンド期間（例えば３０分間）よりも短期間である設定期間（例えば３分間）が経過したと判定すると、設定期間における消費電力量を求める。そして、制御部１１１は、設定期間における消費電力量を、制御装置１２に送信する。このようにして、設定期間が経過する度に、制御部１１１は、設定期間における消費電力量を、制御装置１２に送信する。
【００２２】
本実施の形態では、空調機器１１ａ〜１１ｃのそれぞれの制御部１１１は、消費電力量を、空調機器１１を特定可能な識別情報に対応付けて、制御装置１２に送信する。
【００２３】
制御対象部１１２は、例えば、熱交換器およびインバータ回路等である。
【００２４】
無線通信インタフェース１１３は、消費電力量と識別情報とを制御装置１２に送信する。
【００２５】
制御装置１２は、制御装置１２全体を制御する制御部１２１と、制御部１２１が参照する情報を記憶する記憶部１２２とを備える。また、制御装置１２は、後述するデマンド値の初期値であるデマンド初期値Ｄのユーザ入力を受け付けるための、およびデマンド制御開始の指示をユーザから受け付けるための入力部１２３と、入力されたデマンド初期値Ｄを表示するための表示部１２４と、無線通信を可能にする無線通信インタフェース１２５と、を備える。各部１２１〜１２５は、バスラインＢＬで、相互に接続されている。なお、デマンド値は、デマンド初期値Ｄに基づいた設定期間における空調機器１１ａ〜１１ｃの目標の電力であり、設定期間が経過する度に更新される。
【００２６】
デマンド初期値Ｄは、空調機器１１ａ〜１１ｃ毎に、例えばユーザにより入力される。例えばユーザは、デマンド初期値Ｄを、空調機器１１ａ〜１１ｃを特定可能な識別情報に対応付けて入力する。
【００２７】
制御部１２１は、ＣＰＵと、ＲＯＭと、ＲＡＭと、を備える。制御部１２１は、デマンド制御を開始する指示を入力部１２３で受け付けると、デマンド制御が開始されたことを示す信号を空調機器１１ａ〜１１ｃに送信する。また、制御部１２１は、空調機器１１ａ〜１１ｃから送信された消費電力量を受信すると、その消費電力量を、識別情報に対応付けて、ＲＡＭに記憶する。
【００２８】
制御部１２１のＣＰＵは、ＲＯＭに格納されたプログラム（例えば、後述する図４のフローチャートを実現するプログラム）を実行することで、設定期間における空調機器１１ａ〜１１ｃの平均消費電力を求める平均消費電力取得部１２１ａと、平均消費電力取得部１２１ａで求められた平均消費電力のデマンド値（目標電力）に対する余裕電力を求める余裕電力取得部１２１ｂと、デマンド値を更新する更新部１２１ｃと、を実現する。
【００２９】
平均消費電力取得部１２１ａは、空調機器１１ａ〜１１ｃから送信された消費電力量を、識別情報毎に（空調機器１１毎に）、ＲＡＭから取得する。そして、平均消費電力取得部１２１ａは、取得した消費電力量を設定期間で除算して、設定期間における空調機器１１の平均消費電力を、識別情報毎に求める。
【００３０】
余裕電力取得部１２１ｂは、平均消費電力取得部１２１ａで平均消費電力が求められる度に（設定期間が経過する度に）、その求められた平均消費電力を、現在のデマンド値から減じることで、識別情報毎に余裕電力を求める。
【００３１】
更新部１２１ｃは、余裕電力取得部１２１ｂで求められた余裕電力が正の値であれば、その求められた余裕電力をデマンド初期値Ｄに加えることで、次の設定期間におけるデマンド値を識別情報毎に更新する。
【００３２】
一方、更新部１２１ｃは、余裕電力取得部１２１ｂで求められた余裕電力が正の値でなければ（ゼロまたは負の値であれば）、その求められた余裕電力の絶対値をデマンド初期値Ｄから減じることで、次の設定期間におけるデマンド値を識別情報毎に更新する。
【００３３】
デマンド値の更新について、図２Ａ，Ｂを参照して具体的に説明する。図２Ａ，Ｂの説明では、デマンド期間Ｔを６等分し、それぞれを、設定期間ｔ１から設定期間ｔ６とする。設定期間ｔ１〜ｔ６は、それぞれ同一の長さである。
【００３４】
例えば、図２Ａに示すように、空調機器１１ａから送信された消費電力量から、平均消費電力取得部１２１ａが、設定期間ｔ１における空調機器１１ａの平均消費電力をＰ１（＝設定期間ｔ１における平均消費電力）と求めたとする。そして、余裕電力取得部１２１ｂが、求められた平均消費電力Ｐ１を、空調機器１１ａを示す識別情報に対応するデマンド値（設定期間ｔ１のデマンド値は、デマンド初期値Ｄ）から減算して、空調機器１１ａの余裕電力Ｗ１（正の値）を求めたとする。
【００３５】
更新部１２１ｃは、求められた余裕電力Ｗ１を、デマンド初期値Ｄに加算することで、後続する次の設定期間ｔ２における空調機器１１ａのデマンド値Ｍ２を、図２Ｂに示すように、デマンド初期値Ｄ＋余裕電力Ｗ１に更新する。
【００３６】
また、例えば、図２Ａに示すように、空調機器１１ａから送信された消費電力量から、平均消費電力取得部１２１ａが、設定期間ｔ３における空調機器１１ａの平均消費電力をＰ３と求めたとする。そして、余裕電力取得部１２１ｂが、求められた平均消費電力Ｐ３を、設定期間ｔ３における空調機器１１ａのデマンド値Ｍ３から減算して、負の余裕電力Ｗ３を求めたとする。
【００３７】
すると、更新部１２１ｃは、余力電力Ｗ３の絶対値をデマンド初期値Ｄから減算することで、後続する次の設定期間ｔ４における空調機器１１ａのデマンド値Ｍ４を、図２Ｂに示すように、デマンド初期値Ｄ−余力電力Ｗ３の絶対値に更新する。
【００３８】
また、例えば、図２Ａに示すように、空調機器１１ａから送信された消費電力量から、平均消費電力取得部１２１ａが、設定期間ｔ５における空調機器１１ａの平均消費電力をＰ５と求めたとする。そして、余裕電力取得部１２１ｂが、求められた平均消費電力Ｐ５を、設定期間ｔ５における空調機器１１ａのデマンド値Ｍ５から減算して、正の余裕電力Ｗ５を求めたとする。
【００３９】
更新部１２１ｃは、求められた余裕電力Ｗ５を、デマンド初期値Ｄに加算することで、後続する次の設定期間ｔ６における空調機器１１ａのデマンド値Ｍ６を、図２Ｂに示すように、デマンド初期値Ｄ＋余裕電力Ｗ５に更新する。
【００４０】
上述の処理を、制御部１２１は、空調機器１１ｂ，１１ｃについても行うことで、デマンド期間中、設定期間が経過する度にデマンド値を更新する。デマンド値を更新すると、制御部１２１は、更新したデマンド値に基づいて、空調機器１１の定格比能力を求める。そして、制御部１２１は、定格比能力を示す制御信号を空調機器１１に送信する。
【００４１】
空調機器１１の制御部１１１は、制御信号を受信すると、制御信号で指示された定格比能力を目標（基準）として運転する。
【００４２】
このようにして、制御装置１２は、例えば商用電源から空調機器１１に供給されて消費された、デマンド期間における平均消費電力が、デマンド初期値Ｄ以下になるよう、空調機器１１を制御する。
【００４３】
例えば、図３に示すように、空調機器１１が定格電力２０ｋＷであり、デマンド初期値Ｄが８ｋＷであり、求められた余裕電力が正の値であった結果、更新されたデマンド値が１０ｋＷであったとする。すると、制御部１２１は、空調機器１１の消費電力が１０ｋＷになるよう、定格比能力０．５を求める。そして、制御部１２１は、定格比能力０．５を示す制御信号を空調機器１１に送信する（通知する）。
【００４４】
空調機器１１の制御部１１１は、制御信号を受信すると、制御信号で指示された定格比能力０．５を目標として運転する。
【００４５】
その後、設定期間が再び経過した際に、制御部１２１は、求められた余裕電力が負の値であった結果、更新されたデマンド値が６ｋＷであったとする。すると、制御部１２１は、空調機器１１の消費電力が６ｋＷになるよう、定格比能力０．３を求める。そして、制御部１２１は、定格比能力０．３を示す制御信号を空調機器１１に送信する（通知する）。
【００４６】
空調機器１１の制御部１１１は、制御信号を受信すると、制御信号で指示された定格比能力０．３を目標として運転する。
【００４７】
図１の説明に戻る。記憶部１２２は、例えばフラッシュメモリから構成される。記憶部１２２は、デマンド初期値Ｄを記憶するデマンド初期値記憶部１２２ａと、現在のデマンド値を記憶するデマンド値記憶部１２２ｂと、を備える。
【００４８】
デマンド初期値Ｄと識別情報とが、入力部１２３のユーザ操作で入力されると、制御部１２１は、入力されたデマンド初期値Ｄを、識別情報に対応付けてデマンド初期値記憶部１２２ａに記憶する。
【００４９】
なお、デマンド値記憶部１２２ｂに記憶されるデマンド値は、制御装置１２でデマンド制御が開始されるまではデマンド初期値Ｄと同じ値である。よって、入力部１２３のユーザ操作でデマンド初期値Ｄが入力されると、制御部１２１は、入力されたデマンド初期値Ｄをデマンド値記憶部１２２ｂにも記憶する。
【００５０】
制御装置１２でデマンド制御が開始されると、制御部１２１は、設定期間が経過する度にデマンド値を更新する。制御部１２１は、更新したデマンド値を、識別情報に対応付けてデマンド値記憶部１２２ｂに記憶する。制御部１２１は、デマンド値記憶部１２２ｂに記憶されたデマンド値に基づいて、空調機器１１の定格比能力を求める。
【００５１】
入力部１２３は、例えばキーボードである。表示部１２４は、例えば液晶ディスプレイである。
【００５２】
無線通信インタフェース１２５は、空調機器１１から送信された消費電力量を受信する。また、無線通信インタフェース１２５は、空調機器１１に制御信号を送信する。
【００５３】
上述した空調機器１１および制御装置１２の電源がオンされ、制御装置１２によるデマンド制御の開始がユーザから指示されると、制御装置１２の制御部１２１は、デマンド値記憶部１２２ｂに記憶されたデマンド初期値Ｄに基づいて、空調機器１１の定格比能力を求める。そして、制御部１２１は、定格比能力を示す制御信号を空調機器１１に送信する。
【００５４】
空調機器１１ａ〜１１ｃの各制御部１１１は、制御信号を受信すると、制御信号で指示された定格比能力を目標として運転する。そして、空調機器１１ａ〜１１ｃの各制御部１１１は、設定期間が経過すると、設定期間における消費電力量を、制御装置１２に送信する。
【００５５】
制御装置１２は、設定期間における消費電力量を、各空調機器１１ａ〜１１ｃから受信すると、消費電力量を受信したことを示す割り込み信号に応答して、図４に示すデマンド値更新処理を実行する。デマンド値更新処理は、タイマ割り込み処理である。
【００５６】
デマンド値更新処理では、制御部１２１（平均消費電力取得部１２１ａ）は、空調機器１１から送信された設定期間における消費電力量をＲＡＭから取得し、その消費電力量を設定期間で除算して、識別情報毎に（空調機器１１毎に）、設定期間における空調機器１１の平均消費電力を求める（ステップＳ１）。
【００５７】
次に、制御部１２１（余裕電力取得部１２１ｂ）は、ステップＳ１で求められた平均消費電力を、デマンド値記憶部１２２ｂに記憶されたデマンド値から減算することで、余裕電力を識別情報毎に求める（ステップＳ２）。なお、デマンド値記憶部１２２ｂに記憶されたデマンド値は、デマンド値が未更新である場合、デマンド初期値Ｄである。
【００５８】
例えば、図２Ａ，Ｂに示すように、設定期間ｔ１において、ステップＳ１で求められた空調機器１１ａの平均消費電力がＰ１であり、デマンド値記憶部１２２ｂに記憶されたデマンド値がデマンド初期値Ｄである場合、制御部１２１（余裕電力取得部１２１ｂ）は、空調機器１１ａの余裕電力を正の値Ｗ１（＝Ｄ−Ｐ１）と求める。
【００５９】
また、例えば、図２Ａ，Ｂに示すように、設定期間ｔ３において、ステップＳ１で求められた空調機器１１ａの平均消費電力がＰ３であり、デマンド値記憶部１２２ｂに記憶されたデマンド値がＭ３である場合、制御部１２１（余裕電力取得部１２１ｂ）は、負の余裕電力（＝Ｍ３−Ｐ３）を求める。
【００６０】
図４に示すステップＳ２の後、制御部１２１（更新部１２１ｃ）は、余裕電力がゼロより大きいか否か（正か負）かを、識別情報毎に判定する（ステップＳ３）。
【００６１】
余裕電力がゼロ以下である場合、言い換えれば、余裕電力がゼロまたは負の値である場合、空調機器１１の平均消費電力が現在のデマンド値以上であったことを示している。この場合、制御部１２１（更新部１２１ｃ）は、ゼロまたは負の値を示す余裕電力に対応付けられている識別情報については、ステップＳ３でＮｏと判定する。そして、制御部１２１（更新部１２１ｃ）は、デマンド初期値記憶部１２２ａに記憶されたデマンド初期値Ｄから余裕電力の絶対値（ゼロを含む）を減算した値にデマンド値を更新する（ステップＳ６）。
【００６２】
例えば、図２Ｂに示すように、設定期間ｔ３において、ステップＳ２で求められた空調機器１１ａの余裕電力が負の値Ｗ３である場合、余裕電力Ｗ３の絶対値をデマンド初期値Ｄから減算して、設定期間ｔ４における空調機器１１ａのデマンド値Ｍ４を、Ｄ−Ｗ３に更新する。
【００６３】
図４に示すステップＳ３の後、制御部１２１（更新部１２１ｃ）は、更新後のデマンド値を、デマンド値記憶部１２２ｂに記憶にして（ステップＳ５）、このデマンド値更新処理を終了する。
【００６４】
一方、余裕電力の値がゼロより大きい場合、空調機器１１の平均消費電力が現在のデマンド値未満であり、余裕電力があることを示している。この場合、制御部１２１（更新部１２１ｃ）は、ゼロを超える余裕電力に対応付けられている識別情報については、ステップＳ３でＹｅｓと判定する。そして、制御部１２１（更新部１２１ｃ）は、ステップＳ２で求められた余裕電力をデマンド初期値記憶部１２２ａに記憶されたデマンド初期値Ｄに加算した値に、デマンド値を更新する（ステップＳ４）。
【００６５】
例えば、図２Ｂに示すように、設定期間ｔ１において、ステップＳ２で求められた空調機器１１ａの余裕電力が正の値Ｗ１である場合、余裕電力Ｗ１をデマンド初期値Ｄに加算して、設定期間ｔ２における空調機器１１ａのデマンド値Ｍ２を、Ｄ＋Ｗ１に増加させる。
【００６６】
図４に示すステップＳ４の後、制御部１２１（更新部１２１ｃ）は、更新後のデマンド値を、デマンド値記憶部１２２ｂに識別情報毎に記憶して（ステップＳ５）、このデマンド値更新処理を終了する。
【００６７】
その後、制御部１２１は、デマンド値記憶部１２２ｂに記憶されたデマンド値（更新されたデマンド値）に基づいて、空調機器１１の定格比能力を求める。そして、制御部１２１は、定格比能力を示す制御信号を空調機器１１に送信する。
【００６８】
空調機器１１の制御部１１１は、制御信号を受信すると、制御信号で指示された定格比能力を目標として運転する。
【００６９】
以上説明したように、制御装置１２は、余裕電力が発生していれば、余裕電力をデマンド初期値Ｄに加算して、次の設定期間におけるデマンド値を更新する。一方、制御装置１２は、負の余裕電力が発生していれば、負の余裕電力の絶対値をデマンド初期値Ｄから減算して、次の設定期間におけるデマンド値を更新する。
【００７０】
よって、制御装置１２は、指定期間の満了が近づくに連れて、空調機器１１の消費電力を著しく減少させるような、空調機器１１の消費電力の平準化が不十分になる制御を行うことはない。従って、実施の形態１の空調システム１０によれば、空調機器１１の運転能力の変動による不便の発生を抑えつつ消費エネルギーの低減に寄与し得る。
【００７１】
（実施の形態２）
前述の通り、実施の形態１では、デマンド値を直前の設定期間の消費電力の実績に基づいて増加させた。
【００７２】
しかし、この発明は、これに限定されず、供給可能電力が変動する場合に、電力消費側の電力消費実績に代えて、電力供給側の電力供給実績に基づいて、デマンド値を増加させてもよい。
【００７３】
図５〜図７に示す、実施の形態２の空調システム２０は、太陽光発電装置の設定期間における発電電力に基づいた余力電力を求め、求めた余力電力を、デマンド初期値Ｄに加算して、設定期間におけるデマンド値を増加させる。
【００７４】
以下、実施の形態２の空調システム２０を、図５〜図７を参照して説明する。なお、実施の形態１の空調システム１０と同一の構成には、同一の符号を付している。
【００７５】
本発明の実施の形態２に係る制御システムを備える空調システム２０は、図５に示すように、空調機器１１と制御装置１２とに加え、太陽の光エネルギーを電気に変換して電力を発生させる太陽光発電装置３１を備える。
【００７６】
太陽光発電装置３１は、空調機器１１の電源がオンされ、デマンド制御が開始されたことを示す制御装置１２からの信号を受信すると、タイマで計時を開始する。太陽光発電装置３１は、タイマによる計時に基づいて、デマンド期間（例えば３０分間）よりも短期間である設定期間（例えば３分間）が経過したと判定すると、設定期間における発電電力量を求める。そして、太陽光発電装置３１は、設定期間における発電電力量を、制御装置１２に送信する。このようにして、設定期間が経過する度に、太陽光発電装置３１は、設定期間における発電電力量を、制御装置１２に送信する。
【００７７】
制御装置１２の制御部１２１は、太陽光発電装置３１から送信された発電電力量を受信すると、その発電電力量をＲＡＭに記憶する。
【００７８】
制御部１２１のＣＰＵは、ＲＯＭに格納されたプログラム（例えば、後述する図７のフローチャートを実現するプログラム）を実行する。これにより、制御部１２１のＣＰＵは、デマンド値を更新する更新部１２１ｃと、設定期間における太陽光発電装置３１の発電電力に基づいた余力電力を求める余力電力取得部１２１ｄとを実現する。
【００７９】
余力電力取得部１２１ｄは、太陽光発電装置３１から送信された発電電力量をＲＡＭから取得し、その発電電力量を設定期間で除算する。そして、余力電力取得部１２１ｄは、設定期間における太陽光発電装置３１の発電電力を求める。
【００８０】
余力電力取得部１２１ｄは、求めた発電電力を各空調機器１１の台数で除算することで（余力電力を各空調機器１１で分配することで）、余力電力を求める。そして、余力電力取得部１２１ｄは、求めた余力電力に、予め定められた係数を掛けて、設定期間における余力電力を求める。本実施の形態では、係数は、１．０である。
【００８１】
更新部１２１ｃは、余力電力取得部１２１ｄで求められた余力電力が正の値であれば、余力電力を、各識別情報に対応するデマンド初期値Ｄに加算することで、識別情報毎のデマンド値を、設定期間が経過する度に更新する。
【００８２】
一方、更新部１２１ｃは、余力電力取得部１２１ｄで求められた余力電力がゼロであれば、各識別情報に対応するデマンド値を、デマンド初期値Ｄにする。
【００８３】
デマンド値の更新について、図６Ａ，Ｂを参照して具体的に説明する。図６Ａ，Ｂの説明では、デマンド期間Ｔを６等分し、それぞれを、設定期間ｔ１ａから設定期間ｔ６ａとする。設定期間ｔ１ａ〜ｔ６ａは、それぞれ同一の長さである。
【００８４】
例えば、図６Ａに示すように、太陽光発電装置３１から送信された発電電力量から、余力電力取得部１２１ｄが、設定期間ｔ１ａにおける発電電力をＱ１と求めたとする。すると、余力電力取得部１２１ｄは、求められた発電電力Ｑ１を、空調機器１１の台数である３で除算して、余力電力Ｑ１／３を求める。そして、更新部１２１ｃは、余力電力Ｑ１／３を、空調機器１１ａのデマンド初期値Ｄに加算することで、後続する次の設定期間ｔ２ａにおける空調機器１１ａのデマンド値Ｍ２を、図６Ｂに示すように、Ｄ＋Ｑ１／３に増加させる。
【００８５】
また、例えば、図６Ａに示すように、太陽光発電装置３１から送信された発電電力量から、余力電力取得部１２１ｄが、設定期間ｔ３ａにおける余力電力Ｑ３をゼロと求めたとする。すると、更新部１２１ｃは、後続する次の設定期間ｔ４ａにおける空調機器１１ａのデマンド値Ｍ４を、図６Ｂに示すように、デマンド初期値Ｄにする。
【００８６】
また、例えば、図６Ａに示すように、太陽光発電装置３１から送信された発電電力量から、余力電力取得部１２１ｄが、設定期間ｔ５ａにおける発電電力をＱ５と求めたとする。すると、余力電力取得部１２１ｄは、求めた発電電力Ｑ５を、空調機器１１の台数である３で除算して、余力電力Ｑ５／３を求める。そして、更新部１２１ｃは、余力電力Ｑ５／３を、空調機器１１ａのデマンド初期値Ｄに加算することで、後続する次の設定期間ｔ６ａにおける空調機器１１ａのデマンド値Ｍ６を、図６Ｂに示すように、Ｄ＋Ｑ５／３に増加させる。
【００８７】
この処理を、制御部１２１は、空調機器１１ｂ，１１ｃについても行うことで、デマンド期間中、デマンド値を更新する。デマンド値を更新すると、制御部１２１は、更新したデマンド値に基づいて、空調機器１１の定格比能力の上限値を求める。そして、制御部１２１は、定格比能力の上限値を示す制御信号を空調機器１１に送信する（通知する）。
【００８８】
空調機器１１の制御部１１１は、制御信号を受信すると、制御信号で指示された定格比能力の値を上限として運転する。
【００８９】
このように、制御装置１２は、デマンド初期値Ｄを下限として、余力電力があれば、次の設定期間のデマンド値を増加させ、余力電力がなければ、次の設定期間のデマンド値をデマンド初期値Ｄにする。このようにして、制御装置１２は、例えば商用電源から空調機器１１に供給されて消費された、デマンド期間における平均消費電力が、デマンド初期値Ｄ以下になるよう、空調機器１１を制御する。
【００９０】
上述した空調機器１１および制御装置１２の電源がオンされ、太陽光発電装置３１が発電可能な状態になり、制御装置１２によるデマンド制御の開始がユーザから指示されると、制御装置１２の制御部１２１は、デマンド値記憶部１２２ｂに記憶されたデマンド初期値Ｄに基づいて、空調機器１１の定格比能力の上限値を求める。そして、制御部１２１は、定格比能力の上限値を示す制御信号を空調機器１１に送信する。
【００９１】
空調機器１１ａ〜１１ｃの各制御部１１１は、制御信号を受信すると、制御信号で指示された定格比能力の上限値を上限として運転する。
【００９２】
また、太陽光発電装置３１は、設定期間が経過すると、設定期間における発電電力量を、制御装置１２に送信する。
【００９３】
制御装置１２は、設定期間における発電電力量を、太陽光発電装置３１から受信すると、発電電力量を受信したことを示す割り込み信号に応答して、図７に示すデマンド値更新処理を実行する。デマンド値更新処理は、タイマ割り込み処理である。
【００９４】
デマンド値更新処理では、制御部１２１（余力電力取得部１２１ｄ）は、太陽光発電装置３１から送信された発電電力量をＲＡＭから取得し、その発電電力量を設定期間で除算して、設定期間における太陽光発電装置３１の発電電力を求める（ステップＳ１１）。そして、制御部１２１（余力電力取得部１２１ｄ）は、求めた発電電力を各空調機器１１で分配した値を求め、その値に予め定められた係数（１．０）を掛けて、設定期間における余力電力を求める（ステップＳ１１）。
【００９５】
次に、制御部１２１（更新部１２１ｃ）は、求められた余力電力がゼロを超えているか否か（正の値であるか否か）を判定する（ステップＳ１２）。
【００９６】
余力電力がゼロを超えている場合、余力電力があることを示している。この場合、制御部１２１（更新部１２１ｃ）は、ステップＳ１２でＹｅｓと判定する。制御部１２１（更新部１２１ｃ）は、求められた余力電力を、デマンド初期値記憶部１２２ａに記憶された識別情報毎のデマンド初期値Ｄに加算することで、次の設定期間における各デマンド値を増加させる（ステップＳ１３）。
【００９７】
ステップＳ１３では、例えば、図６Ａ，Ｂに示すように、設定期間ｔ１ａにおいて、求められた発電電力がＱ１であり、デマンド初期値記憶部１２２ａに記憶された空調機器１１ａのデマンド初期値がＤである場合、制御部１２１（更新部１２１ｃ）は、余力電力Ｑ１／３を、デマンド初期値Ｄに加算して、空調機器１１ａの次の設定期間ｔ２ａのデマンド値Ｍ２を、Ｄ＋Ｑ１／３に増加させる。
【００９８】
ステップＳ１３の後、制御部１２１（更新部１２１ｃ）は、更新後のデマンド値をデマンド値記憶部１２２ｂに記憶して（ステップＳ１４）、このデマンド値更新処理を終了する。
【００９９】
一方、余力電力がゼロを超えていない場合、言い換えれば、余力電力がゼロである場合、余力電力がないことを示している。この場合、制御部１２１（更新部１２１ｃ）は、ステップＳ１２でＮｏと判定する。そして、制御部１２１（更新部１２１ｃ）は、識別情報毎のデマンド値を（次の設定期間における各デマンド値を）、デマンド初期値に更新する（ステップＳ１５）。
【０１００】
その後、制御部１２１（更新部１２１ｃ）は、更新後のデマンド値をデマンド値記憶部１２２ｂに記憶して（ステップＳ１４）、このデマンド値更新処理を終了する。
【０１０１】
その後、制御部１２１は、デマンド値記憶部１２２ｂに記憶されたデマンド値（更新されたデマンド値）に基づいて、空調機器１１の定格比能力の上限値を求める。そして、制御部１２１は、定格比能力の上限値を示す制御信号を空調機器１１に送信する。
【０１０２】
空調機器１１の制御部１１１は、制御信号を受信すると、制御信号で指示された定格比能力の上限値を上限として運転する。
【０１０３】
以上説明したように、制御装置１２は、太陽光発電装置３１が発電していれば、分配した余力電力をデマンド初期値Ｄに加算して、次の設定期間におけるデマンド値を増加させる。一方、制御装置１２は、太陽光発電装置３１が発電していなければ、次の設定期間におけるデマンド値をデマンド初期値Ｄにする。
【０１０４】
よって、制御装置１２は、デマンド期間中、デマンド値を増加させる制御を行うことがあっても、デマンド値をデマンド初期値Ｄよりも減少させることはない。これにより、制御装置１２は、指定期間の満了が近づくに連れて、空調機器の消費電力を著しく減少させるような、空調機器１１の消費電力の平準化が不十分になる制御を行うことはない。従って、実施の形態２の空調システム２０によれば、空調機器１１の運転能力の変動による不便の発生を抑えつつ消費エネルギーの低減に寄与し得る。
【０１０５】
（実施の形態３）
前述の通り、実施の形態１の空調システム１０では、設定期間における空調機器１１の平均消費電力を現在のデマンド値から減算して余裕電力を求め、余裕電力があれば、余裕電力を、デマンド初期値Ｄに加算して、デマンド値を増加させた。また、実施の形態２の空調システム２０では、太陽光発電装置３１で発電が行われていれば、発電電力を分配した余力電力を求め、求めた余力電力を、デマンド初期値Ｄに加算して、デマンド値を増加させた。
【０１０６】
しかし、この発明は、これに限定されず、供給可能電力が変動する場合に、電力供給側の電力供給実績と電力消費側の電力消費実績とに基づいて、デマンド値を更新してもよい。
【０１０７】
図８〜図１０に示す、実施の形態３の空調システム３０は、余裕電力があり、且つ、余力電力があれば、余裕電力と余力電力とを、デマンド初期値Ｄに加算して、次の設定期間におけるデマンド値を増加させる。
【０１０８】
以下、実施の形態３の空調システム３０を、図８〜図１０を参照して説明する。なお、実施の形態１の空調システム１０および実施の形態２の空調システム２０と同一の構成には、同一の符号を付している。
【０１０９】
本発明の実施の形態３に係る制御システムを備える空調システム３０は、図８に示すように、空調機器１１と制御装置１２と太陽光発電装置３１とを、備える。
【０１１０】
空調機器１１の制御部１１１は、空調機器１１の電源がオンされ、デマンド制御が開始されたことを示す制御装置１２からの信号を受信すると、タイマで計時を開始する。制御部１１１は、タイマによる計時に基づいて、設定期間（例えば３分間）が経過したと判定すると、設定期間における消費電力量を求める。そして、制御部１１１は、設定期間における消費電力量を、制御装置１２に送信する。
【０１１１】
制御装置１２の制御部１２１は、空調機器１１から送信された消費電力量を受信すると、その消費電力量を、識別情報に対応付けてＲＡＭに記憶する。
【０１１２】
太陽光発電装置３１は、空調機器１１の電源がオンされ、デマンド制御が開始されたことを示す制御装置１２からの信号を受信すると、タイマで計時を開始する。太陽光発電装置３１は、タイマによる計時に基づいて、設定期間（例えば３分間）が経過したと判定すると、設定期間における発電電力量を求める。そして、太陽光発電装置３１は、設定期間における発電電力量を、制御装置１２に送信する。
【０１１３】
制御装置１２の制御部１２１は、太陽光発電装置３１から送信された発電電力量を受信すると、その発電電力量をＲＡＭに記憶する。
【０１１４】
制御部１２１のＣＰＵは、ＲＯＭに格納されたプログラム（例えば、後述する図１０のフローチャートを実現するプログラム）を実行する。これにより、制御部１２１のＣＰＵは、設定期間における空調機器１１ａ〜１１ｃの平均消費電力を求める平均消費電力取得部１２１ａと、平均消費電力取得部１２１ａで求められた平均消費電力のデマンド値に対する余裕電力を求める余裕電力取得部１２１ｂと、を実現する。また、制御部１２１のＣＰＵは、デマンド値を更新する更新部１２１ｃと、設定期間における太陽光発電装置３１の発電電力に基づいた余力電力を求める余力電力取得部１２１ｄとを実現する。
【０１１５】
平均消費電力取得部１２１ａは、空調機器１１ａ〜１１ｃから送信された消費電力量を、識別情報毎に（空調機器１１毎に）、ＲＡＭから取得する。そして、平均消費電力取得部１２１ａは、取得した消費電力量を設定期間で除算して、設定期間における空調機器１１の平均消費電力を、識別情報毎に求める。
【０１１６】
余裕電力取得部１２１ｂは、平均消費電力取得部１２１ａで平均消費電力が求められる度に（設定期間が経過する度に）、その求められた平均消費電力を、現在のデマンド値から減じることで、識別情報毎に余裕電力を求める。
【０１１７】
余力電力取得部１２１ｄは、太陽光発電装置３１から送信された発電電力量をＲＡＭから取得し、その発電電力量を設定期間で除算する。そして、余力電力取得部１２１ｄは、設定期間における太陽光発電装置３１の発電電力を求める。
【０１１８】
また、余力電力取得部１２１ｄは、求めた発電電力を各空調機器１１の台数で除算することで（余力電力の値を各空調機器１１で分配することで）、余力電力を求める。そして、余力電力取得部１２１ｄは、求めた余力電力に、予め定められた係数を掛けて、設定期間における余力電力を求める。本実施の形態では、係数は、１．０である。
【０１１９】
更新部１２１ｃは、余裕電力取得部１２１ｂで求められた余裕電力が正の値であれば、その求められた余裕電力と余力電力取得部１２１ｄで求められた余力電力（ゼロを含む）とを、デマンド初期値Ｄに加算することで、次の設定期間におけるデマンド値を更新する。
【０１２０】
一方、更新部１２１ｃは、余裕電力取得部１２１ｂで求められた余裕電力が正の値でなければ（ゼロまたは負の値であれば）、デマンド初期値Ｄから余裕電力の絶対値（ゼロを含む）を減じた電力に、更に、余力電力取得部１２１ｄで求められた余力電力（ゼロを含む）を加えた電力に、次の設定期間におけるデマンド値を更新する。
【０１２１】
デマンド値の更新について、図９Ａ，Ｂ，Ｃを参照して具体的に説明する。図９Ａ，Ｂ，Ｃの説明では、デマンド期間Ｔを６等分し、それぞれを、設定期間ｔ１ｂから設定期間ｔ６ｂとする。設定期間ｔ１ｂ〜ｔ６ｂは、それぞれ同一の長さである。
【０１２２】
例えば、図９Ａに示すように、空調機器１１ａから送信された消費電力量から、平均消費電力取得部１２１ａが、設定期間ｔ１ｂにおける空調機器１１ａの平均消費電力をＰ１と求めたとする。そして、余裕電力取得部１２１ｂが、求められた平均消費電力Ｐ１を、空調機器１１ａを示す識別情報に対応するデマンド値Ｍ１（設定期間ｔ１ｂのデマンド値は、デマンド初期値Ｄ）から減算して、空調機器１１ａの余裕電力Ｗ１（正の値）を求めたとする。
【０１２３】
また、図９Ｂに示すように、太陽光発電装置３１から送信された発電電力量から、余力電力取得部１２１ｄが、設定期間ｔ１ｂにおける発電電力をＱ１（正の値）と求めたとする。そして、余力電力取得部１２１ｄが、発電電力Ｑ１を、空調機器１１の台数である３で除算して、余力電力Ｑ１／３を求めたとする。
【０１２４】
すると、更新部１２１ｃは、余力電力Ｑ１／３と、求められた余裕電力Ｗ１とを、空調機器１１ａのデマンド初期値Ｄに加算することで、後続する次の設定期間ｔ２ｂにおける空調機器１１ａのデマンド値Ｍ２を、図９Ｃに示すように、デマンド初期値Ｄ＋Ｗ１＋Ｑ１／３に更新する。
【０１２５】
また、例えば、図９Ａに示すように、空調機器１１から送信された消費電力量から、平均消費電力取得部１２１ａが、設定期間ｔ２ｂにおける空調機器１１ａの平均消費電力をＰ２と求めたとする。そして、余裕電力取得部１２１ｂが、求められた平均消費電力Ｐ２を、空調機器１１ａを示す識別情報に対応するデマンド値Ｍ２から減算することで、正の余裕電力Ｗ２を求めたとする。
【０１２６】
また、図９Ｂに示すように、太陽光発電装置３１から送信された発電電力量から、余力電力取得部１２１ｄが、設定期間ｔ２ｂにおける発電電力をＱ２（正の値）と求めたとする。そして、余力電力取得部１２１ｄが、発電電力Ｑ２を、空調機器１１の台数である３で除算して、余力電力Ｑ２／３を求めたとする。
【０１２７】
すると、更新部１２１ｃは、余力電力Ｑ２／３と、求められた余裕電力Ｗ２とを、空調機器１１ａのデマンド初期値Ｄに加算することで、後続する次の設定期間ｔ３ｂにおける空調機器１１ａのデマンド値Ｍ３を、図９Ｃに示すように、デマンド初期値Ｄ＋Ｗ２＋Ｑ２／３に更新する。
【０１２８】
また、例えば、図９Ａに示すように、空調機器１１から送信された消費電力量から、平均消費電力取得部１２１ａが、設定期間ｔ３ｂにおける空調機器１１ａの平均消費電力をＰ３と求めたとする。そして、余裕電力取得部１２１ｂが、求められた平均消費電力Ｐ３を、空調機器１１ａを示す識別情報に対応するデマンド値Ｍ３から減算することで、正の余裕電力Ｗ３の値を求めたとする。
【０１２９】
また、図９Ｂに示すように、太陽光発電装置３１から送信された発電電力量から、余力電力取得部１２１ｄが、設定期間ｔ３ｂにおける発電電力Ｑ３をゼロと求めたとする。結果、余力電力取得部１２１ｄが、余力電力ゼロを求めたとする。
【０１３０】
すると、更新部１２１ｃは、余力電力ゼロと、求められた余裕電力Ｗ３とを、空調機器１１ａのデマンド初期値Ｄに加算することで、後続する次の設定期間ｔ４ｂにおける空調機器１１ａのデマンド値Ｍ４を、図９Ｃに示すように、デマンド初期値Ｄ＋Ｗ３に更新する。
【０１３１】
また、例えば、図９Ａに示すように、空調機器１１から送信された消費電力量から、平均消費電力取得部１２１ａが、設定期間ｔ４ｂにおける空調機器１１ａの平均消費電力をＰ４と求めたとする。そして、余裕電力取得部１２１ｂが、求められた平均消費電力Ｐ４を、空調機器１１ａを示す識別情報に対応するデマンド値Ｍ４から減算することで、余裕電力をゼロと求めたとする。
【０１３２】
また、図９Ｂに示すように、太陽光発電装置３１から送信された発電電力量から、余力電力取得部１２１ｄが、設定期間ｔ４ｂにおける発電電力Ｑ４をゼロと求めたとする。結果、余力電力取得部１２１ｄが、余力電力ゼロを求めたとする。
【０１３３】
すると、更新部１２１ｃは、余力電力ゼロと、余裕電力ゼロとを、空調機器１１ａのデマンド初期値Ｄに加算することで、後続する次の設定期間ｔ５ｂにおける空調機器１１ａのデマンド値Ｍ５を、図９Ｃに示すように、デマンド初期値Ｄに更新する。
【０１３４】
また、例えば、図９Ａに示すように、空調機器１１から送信された消費電力量から、平均消費電力取得部１２１ａが、設定期間ｔ５ｂにおける空調機器１１ａの平均消費電力をＰ５と求めたとする。そして、余裕電力取得部１２１ｂが、求められた平均消費電力Ｐ５を、空調機器１１ａを示す識別情報に対応するデマンド値Ｍ５から減算することで、負の余裕電力Ｗ５の値を求めたとする。
【０１３５】
また、図９Ｂに示すように、太陽光発電装置３１から送信された発電電力量から、余力電力取得部１２１ｄが、設定期間ｔ２ｂにおける発電電力をＱ５（正の値）と求めたとする。そして、余力電力取得部１２１ｄが、発電電力Ｑ５を、空調機器１１の台数である３で除算して、余力電力Ｑ５／３を求めたとする。
【０１３６】
すると、更新部１２１ｃは、空調機器１１ａのデマンド初期値Ｄから余裕電力Ｗ５の絶対値を減算し、その値に、余力電力Ｑ５／３を加算することで、後続する次の設定期間ｔ６ｂにおける空調機器１１ａのデマンド値Ｍ６を、図９Ｃに示すように、デマンド初期値Ｄ−Ｗ５（絶対値）＋Ｑ５／３に更新する。
【０１３７】
上述の処理を、制御部１２１は、空調機器１１ｂ，１１ｃについても行うことで、デマンド期間中、デマンド値を更新する。デマンド値を更新すると、制御部１２１は、更新したデマンド値に基づいて、空調機器１１の定格比能力を求める。そして、制御部１２１は、定格比能力を示す制御信号を空調機器１１に送信する（通知する）。
【０１３８】
空調機器１１の制御部１１１は、制御信号を受信すると、制御信号で指示された定格比能力を目標（基準）として運転する。
【０１３９】
このようにして、制御装置１２は、例えば商用電源から空調機器１１に供給されて消費された、デマンド期間における平均消費電力が、デマンド初期値Ｄ以下になるよう、空調機器１１を制御する。
【０１４０】
上述した空調機器１１および制御装置１２の電源がオンされ、太陽光発電装置３１が発電可能な状態になり、制御装置１２によるデマンド制御の開始がユーザから指示されると、制御装置１２の制御部１２１は、デマンド値記憶部１２２ｂに記憶されたデマンド初期値Ｄに基づいて、空調機器１１の定格比能力を求める。そして、制御部１２１は、定格比能力を示す制御信号を空調機器１１に送信する。
【０１４１】
空調機器１１ａ〜１１ｃの各制御部１１１は、制御信号を受信すると、制御信号で指示された定格比能力を目標として運転する。そして、空調機器１１ａ〜１１ｃの各制御部１１１は、設定期間が経過すると、設定期間における消費電力量を、制御装置１２に送信する。
【０１４２】
また、太陽光発電装置３１は、設定期間が経過すると、設定期間における発電電力量を、制御装置１２に送信する。
【０１４３】
制御装置１２は、設定期間における消費電力量を、各空調機器１１ａ〜１１ｃから受信し、設定期間における発電電力量を、太陽光発電装置３１から受信すると、消費電力量と発電電力量とを受信したことを示す割り込み信号に応答して、図１０に示すデマンド値更新処理を実行する。デマンド値更新処理は、タイマ割り込み処理である。
【０１４４】
デマンド値更新処理では、制御部１２１（余力電力取得部１２１ｄ）は、太陽光発電装置３１から送信された発電電力量をＲＡＭから取得し、その発電電力量を設定期間で除算して、設定期間における太陽光発電装置３１の発電電力を求める（ステップＳ２１）。そして、制御部１２１（余力電力取得部１２１ｄ）は、空調機器１１の台数である３で除算して、設定期間における余力電力を求める（ステップＳ２１）。
【０１４５】
次に、制御部１２１（平均消費電力取得部１２１ａ）は、空調機器１１から送信された消費電力量をＲＡＭから取得し、その消費電力量を設定期間で除算して、識別情報毎に（空調機器毎に）、設定期間における空調機器１１の平均消費電力を求める（ステップＳ２２）。
【０１４６】
次に、制御部１２１（余裕電力取得部１２１ｂ）は、ステップＳ２２で求められた平均消費電力を、デマンド値記憶部１２２ｂに記憶されたデマンド値から減算することで、余裕電力を識別情報毎に求める（ステップＳ２３）。なお、デマンド値記憶部１２２ｂに記憶されたデマンド値は、デマンド値が未更新である場合、デマンド初期値Ｄである。
【０１４７】
その後、制御部１２１（更新部１２１ｃ）は、余裕電力がゼロを超えているか否かを、識別情報毎に判定する（ステップＳ２４）。
【０１４８】
余裕電力がゼロを超えている場合、余裕電力があることを示している。よって、制御部１２１（更新部１２１ｃ）は、ゼロを超える余裕電力に対応付けられている識別情報については、ステップＳ２４でＹｅｓと判定する。
【０１４９】
そして、制御部１２１（更新部１２１ｃ）は、ステップＳ２１で求めた余力電力とステップＳ２３で求めた余裕電力とを、デマンド初期値記憶部１２２ａに記憶されたデマンド初期値Ｄに加算することで、次の設定期間におけるデマンド値を更新する（ステップＳ２５）。
【０１５０】
一方、余裕電力がゼロを超えていない場合、言い換えれば、余裕電力がゼロまたは負の値である場合、制御部１２１（更新部１２１ｃ）は、ゼロまたは負の値を示す余裕電力に対応付けられている識別情報については、ステップＳ２４でＮｏと判定する。
【０１５１】
そして、制御部１２１（更新部１２１ｃ）は、デマンド初期値記憶部１２２ａに記憶されたデマンド初期値Ｄから、ステップＳ２３で求めた余裕電力の絶対値（ゼロを含む）を減算し、その値に、ステップＳ２１で求めた余力電力を加算して、次の期間におけるデマンド値を更新する（ステップＳ２６）。
【０１５２】
ステップＳ２５またはステップＳ２６のいずれかの処理の実行後、制御部１２１（更新部１２１ｃ）は、更新後のデマンド値を、識別情報に対応付けてデマンド値記憶部１２２ｂに記憶して（ステップＳ２７）、このデマンド値更新処理を終了する。
【０１５３】
その後、制御部１２１は、デマンド値記憶部１２２ｂに記憶されたデマンド値（更新されたデマンド値）に基づいて、空調機器１１の定格比能力を求める。そして、制御部１２１は、定格比能力を示す制御信号を空調機器１１に送信する。
【０１５４】
空調機器１１の制御部１１１は、制御信号を受信すると、制御信号で指示された定格比能力を目標として運転する。
【０１５５】
以上説明したように、制御装置１２は、余裕電力が発生していれば、余裕電力と余力電力とをデマンド初期値Ｄに加算して、次の期間におけるデマンド値を更新する。また、制御装置１２は、ゼロまたは負の値を示す余力電力であれば、デマンド初期値Ｄから余力電力の絶対値を減算して、更に、余力電力を加算することで、次の期間におけるデマンド値を更新する。
【０１５６】
よって、制御装置１２は、指定期間の満了が近づくに連れて、空調機器１１の消費電力を著しく減少させるような、空調機器１１の消費電力の平準化が不十分になる制御を行うことはない。従って、実施の形態３の空調システム３０によれば、空調機器１１の運転能力の変動による不便の発生を抑えつつ消費エネルギーの低減に寄与し得る。
【０１５７】
以上、本発明の実施の形態を説明したが、この発明は上述の実施の形態に限定されず、種々の変形および応用が可能である。
【０１５８】
上述した実施の形態１の空調システム１０と実施の形態３の空調システム３０とでは、制御装置１２の平均消費電力取得部１２１ａは、空調機器１１から取得した消費電力量を設定期間で除算して、設定期間における空調機器１１の平均消費電力を求めたが、これに限られるものではない。
【０１５９】
平均消費電力取得部１２１ａは、求めた平均消費電力に予め定められた係数ｋを掛けて、設定期間における平均消費電力（＝ｋ・平均消費電力）を識別情報毎に求めてもよい。なお、係数は、正の値であればよい。
【０１６０】
上述した実施の形態１の空調システム１０と実施の形態３の空調システム３０とでは、制御装置１２は、設定期間における空調機器１１の消費電力量を、設定期間で除算して、設定期間における空調機器１１の平均消費電力を求めたが、これに限られるものではない。
【０１６１】
制御装置１２は、例えば、設定期間中、空調機器１１から複数のタイミングで消費電力（瞬時値）を取得し、取得した消費電力の平均値を求めることで、設定期間における空調機器１１の平均消費電力を求めてもよい。
【０１６２】
また、上述した実施の形態２の空調システム２０と実施の形態３の空調システム３０とでは、制御装置１２は、設定期間における発電電力量を、設定期間で除算して、設定期間における太陽光発電装置３１の発電電力を求めたが、これに限られるものではない。
【０１６３】
制御装置１２は、例えば、設定期間中、太陽光発電装置３１から複数のタイミングで発電電力（瞬時値）を取得し、取得した発電電力の値の平均値を求めることで、設定期間における太陽光発電装置３１の発電電力を求めてもよい。
【０１６４】
また、上述した各実施の形態の空調システム１０〜３０は、複数の空調機器１１を備えていたが、これに限られるものではなく、１台の空調機器１１を備えていてもよい。
【０１６５】
また、上述した各実施の形態の空調システム２０，３０は、１台の太陽光発電装置３１を備えていたが、これに限られるものではなく、複数の太陽光発電装置３１を備えていてもよい。
【０１６６】
また、上述した各実施の形態の空調システム１０〜３０は、空調機器１１を備えていたが、これは例示であり、空調機器１１に代えて、例えば照明装置等の電気機器を備えていてもよい。
【０１６７】
また、上述した各実施の形態の空調システム１０〜３０は、複数の空調機器１１に対して、１台の制御装置１２を備えていたが、これに限られるものではない。各実施の形態の空調システム１０〜３０は、１台の空調機器１１に対して、１台の制御装置１２を備えていてもよい。言い換えれば、各実施の形態の空調システム１０〜３０は、複数の空調機器１１に対して、複数の制御装置１２を備えていてもよい。
【０１６８】
また、上述した実施の形態１の空調システム１０と実施の形態３の空調システム３０とでは、空調機器１１は、消費電力量を示す無線信号を制御装置１２に送信した。また、実施の形態２の空調システム２０と実施の形態３の空調システム３０とでは、太陽光発電装置３１は、発電電力量を示す無線信号を制御装置１２に送信した。しかし、これに限られるものではない。空調機器１１は、消費電力量を示すパルス信号を有線通信で制御装置１２に送信してもよい。また、太陽光発電装置３１は、発電電力量を示すパルス信号を有線通信で制御装置１２に送信してもよい。
【０１６９】
また、上述した各実施の形態の空調システム１０〜３０では、デマンド期間を例えば３０分とし、設定期間を例えば３分として説明したが、これに限られるものではない。デマンド期間を例えば６０分とし、設定期間を１０分としてもよい。即ち、デマンド期間よりも設定期間が短期間であれば、デマンド期間と設定期間とは任意に決定できる。
【０１７０】
上述した各実施の形態の空調システム１０〜３０は、例えば、ビル内に設けられる空調システム等に適用可能である。この空調システム１０〜３０を、家庭用に応用する場合、例えばユーザは、空調機器１１に代えて、家庭内に設置される家電機器を用いればよい。そして、例えばユーザは、制御装置１２を、ＨＥＭＳ（Home Energy Management System）コントローラで実現すればよい。
【０１７１】
また、上述した実施の形態２の空調システム２０と実施の形態３の空調システム３０とでは、制御装置１２は、余力電力を、全ての空調機器１１で分配し、分配した余力電力を、各識別情報（各空調機器１１）に対応して設定されているデマンド初期値Ｄに加算することで、全ての空調機器１１のデマンド値を更新したが、これに限られるものではない。制御装置１２は、余力電力を、全ての空調機器１１のうちの予め決定されているグループに属する空調機器１１で分配する。そして、制御装置１２は、分配した余力電力を、前述のグループに属する空調機器１１に対応して設定されているデマンド初期値Ｄに加算する。このようにして、制御装置１２は、予め決定されているグループに属する空調機器１１のデマンド値を更新し、グループに属しない空調機器１１のデマンド値をデマンド初期値Ｄに維持するようにしてもよい。なお、グループは、単数であっても複数であってもよい。
【０１７２】
また、上述した実施の形態１の空調システム１０と実施の形態２の空調システム２０とでは、制御装置１２は、空調機器１１毎に独立に（識別情報毎に独立に）、デマンド値を更新したが、これに限られるものではない。例えば、制御装置１２は、全ての空調機器１１の余裕電力を求める（余裕電力の合計を求める）。そして、制御装置１２は、求めた合計を、全ての空調機器１１のうちの予め決定されているグループに属する空調機器１１で分配する。そして、制御装置１２は、分配した余裕電力を、前述のグループに属する空調機器１１に対応して設定されているデマンド初期値Ｄに加算する。このようにして、制御装置１２は、予め決定されているグループに属する空調機器１１のデマンド値を更新し、グループに属しない空調機器１１のデマンド値をデマンド初期値Ｄに維持するようにしてもよい。
【０１７３】
上述の実施の形態において、制御部１２１を制御するプログラムは、フレキシブルディスク、ＣＤ−ＲＯＭ（Compact Disc Read−Only Memory）、ＤＶＤ（Digital Versatile Disc）、ＭＯ（Magneto−Optical Disc）等のコンピュータが読み取り可能な記録媒体に格納して配布し、そのプログラムを、コンピュータ等にインストールすることにより、図４，７，１０に示す処理を実行する制御部１２１を構成してもよい。
【０１７４】
また、上述のプログラムを、インターネット等の通信ネットワーク上の所定のサーバ装置が有するディスク装置等に格納しておき、例えば、搬送波に重畳させて、ダウンロード等するようにしてもよい。
【０１７５】
また、上述の図４，７，１０に示す処理を、各ＯＳ（Operating System）が分担して実現する場合、または、ＯＳとアプリケーションとの協働により実現する場合等には、ＯＳ以外の部分のみを媒体に格納して配布してもよく、また、ダウンロード等してもよい。
【０１７６】
本発明は、本発明の広義の思想と範囲を逸脱することなく、様々な実施の形態および変形が可能とされるものである。また、上述した実施の形態は、本発明を説明するためのものであり、本発明の範囲を限定するものではない。即ち、本発明の範囲は、上述した実施の形態ではなく、請求の範囲によって示される。そして、請求の範囲内およびそれと同等の発明の意義の範囲内で施される様々な変形が、本発明の範囲内とみなされる。
【符号の説明】
【０１７７】
１０，２０，３０  空調システム、１１  空調機器、１２  制御装置、３１  太陽光発電装置、１１１，１２１  制御部、１１２  制御対象部、１１３，１２５  無線通信インタフェース、１２２  記憶部、１２３  入力部、１２４  表示部。
【図１】
2015059774.tif 000003
【図２Ａ】
2015059774.tif 000004
【図２Ｂ】
2015059774.tif 000005
【図３】
2015059774.tif 000006
【図４】
2015059774.tif 000007
【図５】
2015059774.tif 000008
【図６Ａ】
2015059774.tif 000009
【図６Ｂ】
2015059774.tif 000010
【図７】
2015059774.tif 000011
【図８】
2015059774.tif 000012
【図９Ａ】
2015059774.tif 000013
【図９Ｂ】
2015059774.tif 000014
【図９Ｃ】
2015059774.tif 000015
【図１０】
2015059774.tif 000016
【手続補正書】
【提出日】平成27年12月2日(2015.12.2)
【手続補正１】
【補正対象書類名】明細書
【補正対象項目名】００１１
【補正方法】変更
【補正の内容】
【００１１】
上記目的を達成するために、この発明に係る第１の制御装置は、予め定められた指定期間中における電気機器の消費電力が、予め設定されている設定電力以下になるよう、電気機器を制御する。余裕電力取得部は、指定期間よりも短い設定期間が経過する度に、その設定期間における電気機器の平均消費電力を求め、その平均消費電力の、設定電力に基づいた設定期間における目標電力に対する余裕電力を求める。更新部は、余裕電力取得部で求められた余裕電力の値に基づき、次の設定期間における目標電力を更新し、更新した目標電力を、電気機器を制御する制御部に通知する。
【手続補正２】
【補正対象書類名】明細書
【補正対象項目名】００１２
【補正方法】変更
【補正の内容】
【００１２】
また、上記目的を達成するために、この発明に係る第２の制御装置は、予め定められた指定期間中における電気機器の消費電力が、予め設定されている設定電力以下になるよう、電気機器を制御する。余力電力取得部は、指定期間よりも短い設定期間が経過する度に、電力を発生させる発電装置で発電された設定期間における発電電力を求め、その発電電力に基づいた余力電力を求める。更新部は、余力電力取得部で求められた余力電力に基づき、次の設定期間における設定電力に基づいた目標電力を更新し、更新した目標電力を、電気機器を制御する制御部に通知する。
【手続補正３】
【補正対象書類名】特許請求の範囲
【補正対象項目名】全文
【補正方法】変更
【補正の内容】
【特許請求の範囲】
【請求項１】
予め定められた指定期間中における電気機器の消費電力が、予め設定されている設定電力以下になるよう、前記電気機器を制御する制御装置であって、
前記指定期間よりも短い設定期間が経過する度に、その設定期間における前記電気機器の平均消費電力を求め、その平均消費電力の、前記設定電力に基づいた前記設定期間における目標電力に対する余裕電力を求める余裕電力取得部と、
前記余裕電力取得部で求められた余裕電力の値に基づき、次の前記設定期間における前記目標電力を更新し、更新した前記目標電力を、前記電気機器を制御する制御部に通知する更新部と、
を備える制御装置。
【請求項２】
前記更新部は、前記余裕電力取得部で求められた余裕電力が正の値であれば、次の前記設定期間における前記目標電力を、前記設定電力に前記求められた余裕電力を加えた電力に更新し、前記余裕電力取得部で求められた余裕電力が負の値であれば、次の前記設定期間における前記目標電力を、前記設定電力から前記求められた余裕電力の絶対値を減じた電力に更新する、
請求項１に記載の制御装置。
【請求項３】
前記余裕電力取得部は、
前記設定期間が経過すると、その設定期間における前記電気機器の平均消費電力を求める平均消費電力取得部と、
前記平均消費電力取得部で前記平均消費電力が求められると、その求められた平均消費電力を、現在の前記目標電力から減算することで、前記余裕電力を求める減算取得部と、
を備える請求項１または２に記載の制御装置。
【請求項４】
前記余裕電力取得部は、前記設定期間に測定された前記電気機器の消費電力量から、前記設定期間における前記電気機器の平均消費電力を求める、
請求項３に記載の制御装置。
【請求項５】
予め定められた指定期間中における電気機器の消費電力が、予め設定されている設定電力以下になるよう、前記電気機器を制御する制御装置であって、
前記指定期間よりも短い設定期間が経過する度に、電力を発生させる発電装置で発電された前記設定期間における発電電力を求め、その発電電力に基づいた余力電力を求める余力電力取得部と、
前記余力電力取得部で求められた余力電力に基づき、次の前記設定期間における前記設定電力に基づいた目標電力を更新し、更新した前記目標電力を、前記電気機器を制御する制御部に通知する更新部と、
を備える制御装置。
【請求項６】
前記更新部は、前記余力電力取得部で求められた余力電力が正の値であれば、次の前記設定期間における前記目標電力を、前記設定電力に前記求められた余力電力を加えた電力に更新し、前記余力電力取得部で求められた余力電力がゼロであれば、次の前記設定期間における前記目標電力を、前記設定電力に更新する、
請求項５に記載の制御装置。
【請求項７】
前記余力電力取得部は、前記設定期間に測定された前記発電装置の発電電力量から、前記発電装置で発電された前記設定期間あたりの発電電力を求める、
請求項５または６に記載の制御装置。
【請求項８】
前記設定期間が経過する度に、その設定期間における前記電気機器の平均消費電力を求め、その平均消費電力の、前記目標電力に対する余裕電力を求める余裕電力取得部を備え、
前記更新部は、前記余裕電力取得部で求められた余裕電力が正の値であれば、次の前記設定期間における前記目標電力を、前記設定電力に前記余裕電力と前記余力電力とを加えた電力に更新し、前記余裕電力取得部で求められた余裕電力が負の値であれば、次の前記設定期間における前記目標電力を、前記設定電力から前記余裕電力の絶対値を減じた電力に前記余力電力を加えた電力に更新する、
請求項５から７のいずれか一項に記載の制御装置。
【請求項９】
前記電気機器は、複数配置され、
前記設定電力と前記目標電力とは、前記電気機器の属するグループ毎に設けられており、
前記更新部は、
前記余力電力取得部で求められた余力電力が正の値であれば、その求められた余力電力を、前記グループのうちの予め決定されている決定グループで分配する余力分配部と、
前記余力分配部で前記決定グループ毎に分配された前記余力電力を、前記決定グループのそれぞれに対応して設定されている前記設定電力に加えることで、次の前記設定期間における前記決定グループの前記目標電力を更新する余力更新部と、を備える、
請求項５から７のいずれか一項に記載の制御装置。
【請求項１０】
前記電気機器は、複数配置され、
前記設定電力と前記目標電力とは、前記電気機器の属するグループ毎に設けられており、
前記更新部は、
前記余裕電力取得部で求められた余裕電力が正の値であれば、その求められた余裕電力の値を、前記グループのうちの予め決定されている決定グループで分配する余裕分配部と、
前記余裕分配部で前記決定グループ毎に分配された前記余裕電力を、前記決定グループのそれぞれに対応して設定されている前記設定電力に加えることで、次の前記設定期間における前記決定グループの前記目標電力を更新する余裕更新部と、を備える、
請求項１から４のいずれか一項に記載の制御装置。
【請求項１１】
予め定められた指定期間中における電気機器の消費電力が、予め設定されている設定電力以下になるよう、前記電気機器を制御する制御装置の制御方法であって、
前記指定期間よりも短い設定期間が経過する度に、その設定期間における前記電気機器の平均消費電力の、前記設定電力に基づいた前記設定期間における目標電力に対する余裕電力を求める余裕電力取得ステップと、
前記余裕電力取得ステップで求められた余裕電力の値に基づき、次の前記設定期間における前記目標電力を更新し、更新した前記目標電力を、前記電気機器を制御する制御部に通知する更新ステップと、
を含む制御方法。
【請求項１２】
予め定められた指定期間中における電気機器の消費電力が、予め設定されている設定電力以下になるよう、前記電気機器を制御する制御装置の制御方法であって、
前記指定期間よりも短い設定期間が経過する度に、電力を発生させる発電装置で発電された前記設定期間における発電電力から、その発電電力に基づいた余力電力を求める余力電力取得ステップと、
前記余力電力取得ステップで求められた余力電力に基づき、次の前記設定期間における前記設定電力に基づいた目標電力を更新し、更新した前記目標電力を、前記電気機器を制御する制御部に通知する更新ステップと、
を含む制御方法。
【請求項１３】
予め定められた指定期間中における電気機器の消費電力が、予め設定されている設定電力以下になるよう、前記電気機器を制御する制御装置のコンピュータに、
前記指定期間よりも短い設定期間が経過する度に、その設定期間における前記電気機器の平均消費電力の、前記設定電力に基づいた前記設定期間における目標電力に対する余裕電力を求める余裕電力取得機能、
前記余裕電力取得機能で求められた余裕電力の値に基づき、次の前記設定期間における前記目標電力を更新し、更新した前記目標電力を、前記電気機器を制御する制御部に通知する更新機能、
を実現させるプログラム。
【請求項１４】
予め定められた指定期間中における電気機器の消費電力が、予め設定されている設定電力以下になるよう、前記電気機器を制御する制御装置のコンピュータに、
前記指定期間よりも短い設定期間が経過する度に、電力を発生させる発電装置で発電された前記設定期間における発電電力から、その発電電力に基づいた余力電力を求める余力電力取得機能、
前記余力電力取得機能で求められた余力電力に基づき、次の前記設定期間における前記設定電力に基づいた目標電力を更新し、更新した前記目標電力を、前記電気機器を制御する制御部に通知する更新機能、
を実現させるプログラム。
【国際調査報告】
2015059774.tif 000017
2015059774.tif 000018
2015059774.tif 000019
2015059774.tif 000020